(57)【要約】【課題】この発明は、デジタル放送とサーバ型放送との限定受信方式に対応する統合ＩＣカードを使用する際、デジタル放送の限定受信方式に対応する現在のカードの機能を統合ＩＣカードに容易に移行させることができ、ユーザの使い勝手を向上させ得る放送受信装置及び放送受信方法を提供することを目的としている。【解決手段】デジタル放送用の視聴判定手段３１とサーバ型放送用の視聴判定手段３２とを内蔵した統合ＩＣカード１７から移行作業の要求があったとき、Ｂ−ＣＡＳカード３５のデジタル放送用の視聴判定手段の機能を有効にしている情報をネットワークから取得し、その情報に基づいて統合ＩＣカード１７のデジタル放送用の視聴判定手段の機能が、Ｂ−ＣＡＳカード３５のデジタル放送用の視聴判定手段の機能と同じになるようにする。【選択図】      図２
2007028429.tif 000002
【特許請求の範囲】
【請求項１】
デジタル放送を受信する第１の受信手段と、
サーバ型放送を受信する第２の受信手段と、
前記第１の受信手段で受信されたデジタル放送の放送信号と、前記第２の受信手段で受信されたサーバ型放送の放送信号とを選択的に導出する選択手段と、
前記第１の受信手段で受信されたデジタル放送の放送信号に対して視聴条件が成立しているか否かを判別するデジタル放送用の視聴判定手段を内蔵したカードを装着する装着手段と、
前記デジタル放送の放送信号に対して視聴条件が成立しているか否かを判別するデジタル放送用の視聴判定手段と、前記サーバ型放送の放送信号に対して視聴条件が成立しているか否かを判別するサーバ型放送用の視聴判定手段とを内蔵した統合ＩＣカードが前記装着手段に装着され、該統合ＩＣカードから移行作業の発動要求があったとき、前記カードのデジタル放送用の視聴判定手段の機能を有効にしている情報をネットワークから取得し、この情報に基づいて前記統合ＩＣカードのデジタル放送用の視聴判定手段の機能が、前記カードのデジタル放送用の視聴判定手段の機能と同じになるように制御する制御手段と、
前記選択手段で導出された放送信号に対して、前記装着手段に装着された前記統合ＩＣカードによる視聴判定結果に基づいてデスクランブル処理を施すデスクランブル手段とを具備することを特徴とする放送受信装置。
【請求項２】
前記制御手段は、前記装着手段に装着された統合ＩＣカードから移行作業の発動要求があったとき、前記カードの識別情報と前記統合ＩＣカードの識別情報とを前記ネットワークに送信することにより、該ネットワークから前記カードのデジタル放送用の視聴判定手段の機能を有効にしている情報を取得することを特徴とする請求項１記載の放送受信装置。
【請求項３】
前記制御手段は、前記装着手段に装着された統合ＩＣカードから移行作業の発動要求があったとき、前記カードの識別情報と前記統合ＩＣカードの識別情報とを前記ネットワーク上の移行作業用サーバに送信し、該移行作業用サーバから前記カードのデジタル放送用の視聴判定手段の機能を有効にしている情報を取得することを特徴とする請求項１記載の放送受信装置。
【請求項４】
前記制御手段は、前記カードの識別情報と前記統合ＩＣカードの識別情報とを前記ネットワーク上の移行作業用サーバに送信した状態で、該移行作業用サーバに対して情報の取得要求を行なうことにより、前記カードのデジタル放送用の視聴判定手段の機能を有効にしている情報を取得することを特徴とする請求項３記載の放送受信装置。
【請求項５】
前記制御手段により、前記ネットワークから取得した情報に基づいて前記統合ＩＣカードのデジタル放送用の視聴判定手段の機能が、前記カードのデジタル放送用の視聴判定手段の機能と同じになるように制御した状態で、前記カードのデジタル放送用の視聴判定手段の機能を無効にする無効手段を具備することを特徴とする請求項１記載の放送受信装置。
【請求項６】
前記無効手段は、前記装着手段に前記カードを装着することを要求し、その要求に基づいて前記装着手段に装着された前記カードに対して、そのデジタル放送用の視聴判定手段の機能を無効にする情報を与えることを特徴とする請求項５記載の放送受信装置。
【請求項７】
前記カードのデジタル放送用の視聴判定手段の機能を無効にする情報は、前記ネットワークに対して要求することにより、該ネットワークから取得することを特徴とする請求項６記載の放送受信装置。
【請求項８】
前記カードのデジタル放送用の視聴判定手段の機能を無効にする情報は、前記ネットワークを介して通知される配信時刻に電波により配信されることを特徴とする請求項６記載の放送受信装置。
【請求項９】
デジタル放送を受信する第１の工程と、
サーバ型放送を受信する第２の工程と、
前記第１の工程で受信されたデジタル放送の放送信号と、前記第２の工程で受信されたサーバ型放送の放送信号とを選択的に導出する第３の工程と、
装着部に装着されたデジタル放送用の視聴判定手段を内蔵したカードにより、前記第３の工程で導出されたデジタル放送の放送信号に対して視聴条件が成立しているか否かを判別する第４の工程と、
前記デジタル放送の放送信号に対して視聴条件が成立しているか否かを判別するデジタル放送用の視聴判定手段と、前記サーバ型放送の放送信号に対して視聴条件が成立しているか否かを判別するサーバ型放送用の視聴判定手段とを内蔵した統合ＩＣカードが前記装着部に装着され、該統合ＩＣカードから移行作業の発動要求が発生したことを検出する第５の工程と、
前記第５の工程で前記統合ＩＣカードから移行作業の発動要求が発生したことが検出されたとき、前記カードのデジタル放送用の視聴判定手段の機能を有効にしている情報をネットワークから取得する第６の工程と、
前記第６の工程で取得した情報に基づいて前記統合ＩＣカードのデジタル放送用の視聴判定手段の機能が、前記カードのデジタル放送用の視聴判定手段の機能と同じになるように制御する第７の工程と、
前記第３の工程で導出された放送信号に対して、前記装着部に装着された前記統合ＩＣカードによる視聴判定結果に基づいてデスクランブル処理を施す第８の工程とを具備することを特徴とする放送受信方法。
【請求項１０】
前記第７の工程により、前記ネットワークから取得した情報に基づいて前記統合ＩＣカードのデジタル放送用の視聴判定手段の機能が、前記カードのデジタル放送用の視聴判定手段の機能と同じになるように制御した状態で、前記カードのデジタル放送用の視聴判定手段の機能を無効にする第９の工程を具備することを特徴とする請求項９記載の放送受信方法。
【請求項１１】
デジタル放送の放送信号に対して視聴条件が成立しているか否かを判別し、成立している場合にその放送信号に対してデスクランブル処理を施すためのスクランブル鍵を出力するデジタル放送用の視聴判定手段と、サーバ型放送の放送信号に対して視聴条件が成立しているか否かを判別し、成立している場合にその放送信号に対してデスクランブル処理を施すためのスクランブル鍵を出力するサーバ型放送用の視聴判定手段と、前記デジタル放送用の視聴判定手段の機能を有効にするための情報をネットワークから取得する取得作業の発動要求管理部とを内蔵し、
前記取得作業の発動要求管理部が取得要求を指示する場合に、前記デジタル放送と前記サーバ型放送用とに対応した放送受信装置に対して、取得作業の発動要求を行なうことを特徴とする統合ＩＣカード。
【請求項１２】
前記放送受信装置からの取得作業の終了報告を受信することで、取得作業の発動要求管理部における取得作業の発動要求を解除することを特徴とする請求項１１記載の統合ＩＣカード。
【発明の詳細な説明】
【技術分野】
【０００１】
この発明は、例えば有料放送サービス等に代表される限定受信方式の放送サービスを、放送受信用の契約情報を保持したＩＣ（integrated circuit）カードを用いて視聴可能とする放送受信装置及び放送受信方法の改良に関する。
【背景技術】
【０００２】
周知のように、近年、日本国内において運用されているＢＳ（broadcasting satellite）デジタル放送、１１０度ＣＳ（communication satellite）デジタル放送及び地上デジタル放送等の各種デジタル放送においては、例えばＰＰＶ（pay per view）等のような有料放送サービスが行なわれている。
【０００３】
そして、このようなデジタル放送を受信するデジタル放送受信装置では、限定受信方式用に放送事業者から渡されたＢ−ＣＡＳ（登録商標）カードを装着し、視聴条件が成立している場合に、放送信号に施されたスクランブル処理を解除して有料放送サービスを視聴することができるようになっている。
【０００４】
一方、近年では、インターネットを利用したブロードバンド配信が普及している。そして、現在では、このブロードバンド配信をさらに推進させることにより、サーバからインターネットを介して不特定多数のユーザに番組を配信するようにした、いわゆるサーバ型放送（またはインターネット放送）と称される放送形態も考えられている。
【０００５】
そして、このようなサーバ型放送においても、当然のことながら、有料放送サービス等の限定受信方式の放送サービスが行なわれることは必至である。この場合、サーバ型放送受信装置でも、デジタル放送においてＢ−ＣＡＳカードが使用されるように、サーバ型放送においても限定受信方式における視聴条件の判定にＩＣカードが使用されることが想定される。
【０００６】
ただし、デジタル放送用とサーバ型放送用とで、それぞれ別個のカードを使用することは、ユーザにとって煩雑である。このため、デジタル放送とサーバ型放送との、それぞれの限定受信方式における視聴条件の判定機能を統合した１枚の統合ＩＣカードを用意することにより、ユーザの便宜を図ることも考えられている。
【０００７】
ところで、このように１枚の統合ＩＣカードを使用することを考えた場合、今までＢ−ＣＡＳカードを使用してデジタル放送を視聴していたユーザは、そのＢ−ＣＡＳカードが持つ視聴条件の判定機能を、新規に作成する統合ＩＣカードに移行させる作業が必要とされることになる。
【０００８】
ここで、特許文献１には、各コンテンツ配信システム毎にそれぞれ異なるコンテンツ提供方式（ＲＭＰ：right management protection）で配信されるコンテンツを、同じコンテンツ受信機で受信して復号化することができるようにしたコンテンツ受信装置の構成が開示されている。
【０００９】
しかしながら、この特許文献1には、上記したように、デジタル放送とサーバ型放送との限定受信方式における視聴条件の判定機能を統合した１枚の統合ＩＣカードを用意してユーザの利便性を図る際、今まで使用していたＢ−ＣＡＳカードの有する機能を統合ＩＣカードに移行させることについては、何らの記載もなされていないものである。
【特許文献１】特開２００２−１２３４９６公報
【発明の開示】
【発明が解決しようとする課題】
【００１０】
そこで、この発明は上記事情を考慮してなされたもので、デジタル放送とサーバ型放送との限定受信方式に対応する統合ＩＣカードを使用する際、デジタル放送の限定受信方式に対応する現在のカードの機能を統合ＩＣカードに容易に移行させることができ、ユーザの使い勝手を向上させ得る放送受信装置及び放送受信方法、統合ＩＣカードを提供することを目的とする。
【課題を解決するための手段】
【００１１】
この発明の実施の形態に係る放送受信装置は、デジタル放送を受信する第１の受信手段と；サーバ型放送を受信する第２の受信手段と；第１の受信手段で受信されたデジタル放送の放送信号と、第２の受信手段で受信されたサーバ型放送の放送信号とを選択的に導出する選択手段と；第１の受信手段で受信されたデジタル放送の放送信号に対して視聴条件が成立しているか否かを判別するデジタル放送用の視聴判定手段を内蔵したカードを装着する装着手段と；デジタル放送の放送信号に対して視聴条件が成立しているか否かを判別するデジタル放送用の視聴判定手段と、サーバ型放送の放送信号に対して視聴条件が成立しているか否かを判別するサーバ型放送用の視聴判定手段とを内蔵した統合ＩＣカードが装着手段に装着され、該統合ＩＣカードから移行作業の発動要求があったとき、カードのデジタル放送用の視聴判定手段の機能を有効にしている情報をネットワークから取得し、その情報に基づいて統合ＩＣカードのデジタル放送用の視聴判定手段の機能が、カードのデジタル放送用の視聴判定手段の機能と同じになるように制御する制御手段と；選択手段で導出された放送信号に対して、装着手段に装着された統合ＩＣカードによる視聴判定結果に基づいてデスクランブル処理を施すデスクランブル手段とを備えるようにしたものである。
【００１２】
また、この発明の実施の形態に係る放送受信方法は、デジタル放送を受信する第１の工程と；サーバ型放送を受信する第２の工程と；第１の工程で受信されたデジタル放送の放送信号と、第２の工程で受信されたサーバ型放送の放送信号とを選択的に導出する第３の工程と；装着部に装着されたデジタル放送用の視聴判定手段を内蔵したカードにより、第３の工程で導出されたデジタル放送の放送信号に対して視聴条件が成立しているか否かを判別する第４の工程と；デジタル放送の放送信号に対して視聴条件が成立しているか否かを判別するデジタル放送用の視聴判定手段と、サーバ型放送の放送信号に対して視聴条件が成立しているか否かを判別するサーバ型放送用の視聴判定手段とを内蔵した統合ＩＣカードが装着部に装着され、該統合ＩＣカードから移行作業の発動要求が発生したことを検出する第５の工程と；第５の工程で統合ＩＣカードから移行作業の発動要求が発生したことが検出されたとき、カードのデジタル放送用の視聴判定手段の機能を有効にしている情報をネットワークから取得する第６の工程と；第６の工程で取得した情報に基づいて統合ＩＣカードのデジタル放送用の視聴判定手段の機能が、カードのデジタル放送用の視聴判定手段の機能と同じになるように制御する第７の工程と；第３の工程で導出された放送信号に対して、装着部に装着された統合ＩＣカードによる視聴判定結果に基づいてデスクランブル処理を施す第８の工程とを備えるようにしたものである。
【発明の効果】
【００１３】
上記した構成及び方法によれば、統合ＩＣカードから移行作業の発動要求があったとき、カードのデジタル放送用の視聴判定手段の機能を有効にしている情報をネットワークから取得し、その情報に基づいて統合ＩＣカードのデジタル放送用の視聴判定手段の機能が、カードのデジタル放送用の視聴判定手段の機能と同じになるようにしたので、デジタル放送とサーバ型放送との限定受信方式に対応する統合ＩＣカードを使用する際、デジタル放送の限定受信方式に対応する現在のカードの機能を統合ＩＣカードに容易に移行させることができ、ユーザの使い勝手を向上させることができる。
【発明を実施するための最良の形態】
【００１４】
以下、この発明の実施の形態について図面を参照して詳細に説明する。図１は、この実施の形態で説明するデジタルテレビジョン放送受信装置１１の外観を示している。このデジタルテレビジョン放送受信装置１１は、現行のデジタル放送（ＡＲＩＢＳＴＤ−Ｂ２５第１部準拠）の限定受信方式と、サーバ型放送の限定受信方式とに対応した受信機能を有している。
【００１５】
すなわち、このデジタルテレビジョン放送受信装置１１は、主として、薄型のキャビネット１２と、このキャビネット１２を起立させて支持する支持台１３とから構成されている。
【００１６】
上記キャビネット１２には、例えば液晶表示パネル等を備えた平面パネル型の映像表示器１４が設置されるとともに、リモートコントローラ１５から送出される操作情報を受信する受光部１６が設置されている。また、このキャビネット１２には、図示しないが、電源スイッチ等の操作部やスピーカ等も設置されている。
【００１７】
さらに、このキャビネット１２の側面には、統合ＩＣカード１７を着脱可能に装着する装着部１８が設けられている。この統合ＩＣカード１７は、詳細は後述するが、デジタル放送におけるＢ−ＣＡＳカードとしての機能と、サーバ型放送の限定受信方式における視聴条件を判定するためのＩＣカード（以下、Ｓ−ＣＡＳカードという）としての機能とを、１つのＩＣカードに統合させたものである。
【００１８】
図２は、上記デジタルテレビジョン放送受信装置１１の信号処理系を示している。すなわち、アンテナ１９は、現行のデジタル放送を受信するものである。このアンテナ１９で受信したデジタル放送信号は、選局部２０に供給されて、ユーザが指定したチャンネルの信号が選択された後、復調処理、同期検出処理及びエラー訂正処理等が施される。
【００１９】
なお、ユーザからのチャンネルの指定は、リモートコントローラ１５から送出された操作情報が受光部１６で受信され、システムコントローラ２１で解析された後、選局部２０に通知されることにより行なわれる。システムコントローラ２１には、マイクロコンピュータが利用されている。
【００２０】
次に、選局部２０からの出力信号は、切り替え部２２の一方の入力端及び分離部２３にそれぞれ供給される。このうち、切り替え部２２は、サーバ型放送の視聴が要求されている場合にネットワークＩ／Ｆ（interface）２４の出力、現行デジタル放送の視聴が要求されている場合に選局部２０からの出力を選択し、デスクランブラ２５に導出する。
【００２１】
このデスクランブラ２５は、入力された信号に対してデスクランブル処理を施し、ユーザが選択した番組の映像及び音声信号やデータ放送信号等を視聴可能な状態に変換している。このデスクランブラ２５に与えられるスクランブル鍵は、上記統合ＩＣカード１７内の切り替え部２６から出力される。
【００２２】
なお、ここでは、サーバ型放送と現行のデジタル放送とで、同じスクランブル方式が使用されているものとして説明するが、サーバ型放送と現行のデジタル放送とで異なるスクランブル方式が使用されている場合には、どちらの放送を視聴するのかに応じて、デスクランブラ２５では、視聴する放送に対応したデスクランブル処理を施すものとする。
【００２３】
このデスクランブラ２５でデスクランブル処理が施された信号は、ＭＰＥＧ（moving picture experts group）デコーダ２７でデコード処理が施されることにより、映像信号が上記映像表示器１４に表示され、音声信号がスピーカ２８で音声再生される。なお、デスクランブル処理後の映像信号及び音声信号を、それぞれ図示しない出力インターフェースを介して外部に出力することもできる。
【００２４】
一方、上記分離部２３に供給された信号は、少なくとも以下に示す３つの信号に分離される。
【００２５】
１）  統合ＩＣカード１７に与えられるＥＣＭ（entitlement control message）。
【００２６】
２）  統合ＩＣカード１７に与えられるＥＭＭ（entitlement management message）。
【００２７】
３）  ＳＩ（service information）／ＰＳＩ（program specific information）処理部で処理すべきデータ。
【００２８】
このうち、ＥＣＭ及びＥＭＭは、現行のデジタル放送を受信する場合に必要な情報であって、統合ＩＣカード１７が処理するものである。なお、詳細については、後述する統合ＩＣカード１７の動作説明において行なうこととする。
【００２９】
サーバ型放送を視聴する場合には、このＥＣＭ及びＥＭＭを統合ＩＣカード１７で処理する必要はないが、ＥＭＭに関しては定期的な更新があるため、サーバ型放送を視聴中の場合であっても、統合ＩＣカード１７で受信処理できるようにすることが望ましい。
【００３０】
一方、ＳＩ／ＰＳＩ処理部で処理すべきデータは、例えば電子番組表（ＥＰＧ）等のデータや、番組とＥＣＭ及びＥＭＭとを関係付けるデータ等であるが、この発明には直接関係しないため、その説明は省略する。
【００３１】
次に、上記分離部２３で分離され統合ＩＣカード１７に与えられるＥＭＭは、フィルタリング部２９に供給されて、統合ＩＣカード１７用のＥＭＭのみがさらに分離される。この分離には、統合ＩＣカード１７に与えられた識別情報であるＩＤ（identification）が使用される。
【００３２】
すなわち、このＩＤは、個々の統合ＩＣカード１７毎に異なる値であり、図２では図示していないが、統合ＩＣカード１７に内蔵された不揮発性メモリ内に、製品出荷前に記憶されている。
【００３３】
そして、デジタルテレビジョン放送受信装置１１では、統合ＩＣカード１７が装着された際、または、電源が投入された際に、統合ＩＣカード１７内の不揮発性メモリからＩＤを読み出し、ＩＤ記憶部３０に転送している。これにより、上記フィルタリング部２９では、このＩＤ記憶部３０に記憶されたＩＤを使用して、統合ＩＣカード１７用のＥＭＭのみを分離し、統合ＩＣカード１７に与えている。
【００３４】
ここで、上記統合ＩＣカード１７の内部は、ＣＰＵ（central processing unit）、プログラムＲＯＭ（read onry mamory）、ＲＡＭ（random access memory）、ＥＥＰＲＯＭのような不揮発性メモリ等からなる、いわゆるマイクロコンピュータシステムが構築されている。
【００３５】
そして、統合ＩＣカード１７内には、Ｂ−ＣＡＳカードとしての機能を発揮するＢ−ＣＡＳカード機能部３１と、前述したＳ−ＣＡＳカードとしての機能を発揮するＳ−ＣＡＳカード機能部３２とが設置されている。
【００３６】
図３は、Ｂ−ＣＡＳカード機能部３１の詳細を示している。すなわち、入力されたＥＣＭは、ＥＣＭ復号部３１ａに供給されて暗号の復号化処理が施される。この復号化処理に使用される鍵は、後述するＥＭＭの情報の一部として伝送されたワーク鍵Ｋｗである。そして、復号後のＥＣＭは、視聴可否判定部３１ｂに供給される。
【００３７】
このＥＣＭでは、放送コンテンツ（映像、音声データ等）の暗号化に使用されるスクランブル鍵や、このＥＣＭが関連付けられた番組の視聴条件を示す情報が伝送される。この視聴条件を示す情報とは、放送が有料放送であるか無料放送であるかを示す情報の他、有料放送である場合には、後述するＥＭＭ（視聴契約情報）と比較して視聴が可能かどうかを判定するための情報等であり、番組の視聴条件を示す情報である。
【００３８】
また、入力されたＥＭＭは、ＥＭＭ復号部３１ｃに供給されて、ＥＣＭと同様に暗号の復号化処理が施される。この復号化処理に使用される鍵は、製品出荷前にマスター鍵Ｋｍｉ記憶メモリ３１ｄに記憶されているものであって、個々の統合ＩＣカード１７毎に異なる鍵である。そして、復号後のＥＭＭは、不揮発性のＥＭＭメモリ３１ｅに記憶され、上記視聴可否判定部３１ｂに供給される。
【００３９】
なお、ＥＭＭメモリ３１ｅに前述のワーク鍵Ｋｗを記憶し、ＥＣＭ復号部３１ａに供給する場合もあるが、図３では鍵の３重構造を見やすくするため、ＥＭＭ復号部３１ｃにワーク鍵Ｋｗを記憶する不揮発性メモリが内蔵されているものとしている。また、マスター鍵Ｋｍｉ記憶メモリ３１ｄには、前述したＩＤ記憶部３０に転送され、フィルタリング部２９でフィルタリングする際に使用されるＩＤも記憶されているものとする。
【００４０】
以上に説明したようにＥＭＭには、ＥＣＭを復号するためのワーク鍵Ｋｗや、有料放送の場合には番組の視聴契約条件（視聴できる番組、チャンネル、視聴期限等）を含む情報が含まれる。
【００４１】
なお、ワーク鍵Ｋｗは、セキュリティの低下を防ぐ目的から、例えば１ヶ月に１度程度の周期で定期的に更新することがある。このワーク鍵Ｋｗの更新時には、事前に全ての視聴契約者に向けて、更新予定の新しいワーク鍵をＥＭＭに入れて送付するようになっている。
【００４２】
そして、放送局では、新しいワーク鍵の入ったＥＭＭを全ての受信装置が受信した頃を見計らってワーク鍵を更新する。すなわち、統合ＩＣカード１７では、更新されたワーク鍵を含むＥＭＭを受信し、統合ＩＣカード１７内のワーク鍵を含むＥＭＭメモリ３１ｅに記憶するものである。
【００４３】
次に、上記視聴可否判定部３１ｂでは、ＥＣＭ復号部３１ａから得たＥＣＭとＥＭＭメモリ３１ｅに記憶されているＥＭＭとを比較し、視聴可否判定する。この場合の判定処理の概要は、下記の通りである。
【００４４】
まず、有料放送の場合では、前述のようにＥＭＭ内で伝送された視聴契約条件に基づいて、受信した番組が視聴可能かどうか判定し、視聴可能な場合には、ＥＣＭ内のスクランブル鍵を取り出し出力する。もし視聴契約が無く、その番組を視聴する権利が無いと判定された場合には、スクランブル鍵の出力を行なわない他、統合ＩＣカード１７からその番組が視聴不可であることを示す情報を出力する。この情報は、システムコントローラ２１が受け取り、ＯＳＤ（on screen display）機能等を通じて、ユーザにその番組が視聴不可であることを示すこととなる。
【００４５】
また、視聴する番組が有料放送であって、さらに番組毎に視聴料が課金されるＰＰＶ番組である場合には、統合ＩＣカード１７からその番組がＰＰＶ番組であることを示す情報を出力する。この情報は、システムコントローラ２１が受け取り、ＯＳＤ機能等を通じてユーザにその番組がＰＰＶ番組であることを示すこととなる。この場合、番組の料金が、ＥＣＭまたはＳＩ／ＰＳＩデータで提供され、ＯＳＤ機能等を通じてユーザに提示されることもある。
【００４６】
このＰＰＶ番組に対し、ユーザが視聴を望む場合には、リモートコントローラ１５を操作して視聴意思を示す信号（ＰＰＶ購入信号）を発信する。このＰＰＶ購入信号は、受光部１６で受光され、システムコントロールラ２１で解析された後、統合ＩＣカード１７に通知される。
【００４７】
図３に示した視聴可否判定部３１ｂでは、ＰＰＶ購入信号を受信した場合に、そのＰＰＶ番組の視聴を許可し、ＥＣＭ内のスクランブル鍵を取り出して出力するとともに、そのＰＰＶ番組の視聴実績を記憶しておく視聴情報メモリ３１ｆに、そのＰＰＶ番組の視聴情報を記憶する。この視聴情報メモリ３１ｆに記憶された情報は、定期的に放送局側のユーザ管理部に回収され、回収した視聴情報に基づき料金の精算が行なわれる。
【００４８】
一方、スクランブル処理が施された無料放送の場合には、基本的に個々のユーザ（受信装置）毎に視聴契約を行なうことはないため、視聴可否判定処理は行なわれず、統合ＩＣカード１７にＥＣＭを復号するためのワーク鍵Ｋｗが記憶されていれば、ＥＣＭが復号できスクランブル鍵の取り出しが可能となり視聴可能となる。
【００４９】
再び、図２に戻り説明を続ける。統合ＩＣカード１７で記憶されたＰＰＶ番組の視聴情報（視聴履歴）は、定期的に、または、ＥＭＭ等の情報を通じた放送局からの制御信号により、放送局側のユーザ管理部に回収される。回収にあたっては、電話モデム３３を通じて、統合ＩＣカード１７と放送局側のユーザ管理部とが通信を行なっている。
【００５０】
なお、図２においては情報の流れを見やすくするために、統合ＩＣカード１７が電話モデム３３を通じて放送局側のユーザ管理部と通信する構成になっているが、実際には、システムコントローラ２１が通信の制御を行ない、情報もシステムコントロールラ２１経由で授受されるものである。
【００５１】
次に、図２を使用してサーバ型放送を受信する場合の動作について説明する。ＡＤＳＬ（asymmetric digital subscriber line）モデム３４は、インターネットを介してサーバ型放送サービスを提供するサーバに接続するためのモデムであり、図２では通信方式の一例としてＡＤＳＬを例示している。この他にも、光ファーバケーブルを利用した方式や他の方式もあるが、この発明には直接関係しないため、その説明は省略する。
【００５２】
このＡＤＳＬモデム３４は、図示しないイーサネットインターフェースコネクタを介して、ネットワークＩ／Ｆ２４と接続される。なお、イーサネット（登録商標）も一例であって、他の方式による接続でも良いことはもちろんである。このＡＤＳＬモデム３４を介して、デジタルテレビジョン放送受信装置１１は、サーバ型放送サービスを提供するサーバと接続される。
【００５３】
そして、ネットワークＩ／Ｆ２４により、サーバ型放送サービスで送信されるスクランブル処理されたコンテンツが分離され、切り替え部２２を介してデスクランブラ２５に供給される。このデスクランブラ２５は、入力された信号に対してデスクランブル処理を施し、ユーザが選択した番組の映像及び音声信号やデータ放送信号等を視聴可能な状態に変換している。
【００５４】
このデスクランブラ２５に供給されるスクランブル鍵は、前述したように、統合ＩＣカード１７内の切り替え部２６から出力されるが、詳細な説明は、後述する統合ＩＣカード１７の動作説明において行なうこととする。
【００５５】
以上に説明したサーバ型放送サービスにおけるコンテンツの選択は、以下に示す提供されるサービスにより異なるものである。
【００５６】
１）  ビデオオンデマンド（ＶＯＤ）型サービス。
【００５７】
２）  放送型サービス。
【００５８】
１）のＶＯＤ型サービスとは、ユーザが視聴したいコンテンツを選択し、ＶＯＤ型サービスを提供するサーバから希望するコンテンツを配信してもらうサービスである。このサービスを行なうサーバは、複数のコンテンツを用意し、ユーザからの配信要求に応じて配信を開始する。
【００５９】
このＶＯＤ型サービスでは、ユーザがリモートコントローラ１５を操作してコンテンツの選択を行なうことが必要である。ユーザが配信を希望するコンテンツを選択したデータ（コンテンツの選択データ）は、リモートコントローラ１５から発信され、受光部１６で受光され、システムコントロールラ２１で解析された後、ネットワークＩ／Ｆ２４、ＡＤＳＬモデム３４を介してサーバへ通知される。この通知されたコンテンツの選択データに基づいて、サーバはコンテンツを選択し配信する。
【００６０】
なお、コンテンツを選択する際に使用するコンテンツの選択画面は、例えば番組表を文字等で表示する形式であったり、コンテンツの縮小画面をサムネイル表示する形式等であったりする。このようなコンテンツの選択画面は、サーバから映像及び音声信号として直接提供されても良いし、または、サーバからデータ放送信号として与えられデジタルテレビジョン放送受信装置１１で作成しても良いものである。
【００６１】
２）の放送型サービスとは、インターネット上で多数のユーザが同一のコンテンツを選択し視聴するサービスであり、放送型サービスを提供するサーバからは、現行のデジタル放送と同様に、コンテンツが複数の受信装置に向けて配信される。また、配信のタイミングもサーバ側で決定し、現行のデジタル放送のように、サーバ側で決定したスケジュールに基づいて配信を行なうサービスである。なお、放送型サービスでは、サーバが配信するコンテンツを複数用意しておき、ユーザは現行のデジタル放送のチャンネル切り替えのように、希望するコンテンツを選択し視聴することもできる。
【００６２】
この放送型サービスでも、ユーザがリモートコントローラ１５を操作してコンテンツの選択を行なうことが必要である。すなわち、ユーザが配信を希望するコンテンツを選択したデータ（コンテンツの選択データ）は、リモートコントローラ１５から発信され、受光部１６で受光され、システムコントロールラ２１で解析された後、ネットワークＩ／Ｆ２４、ＡＤＳＬモデム３４を介してサーバへ通知される。この通知されたコンテンツの選択データに基づいて、サーバはデジタルテレビジョン放送受信装置１１がコンテンツを受信できるように、コンテンツ受信のための接続を許可する。
【００６３】
次に、上記デスクランブラ２５でデスクランブル処理を行なうための鍵の取得方法について説明する。すなわち、統合ＩＣカード１７のＳ−ＣＡＳカード機能部３２は、ネットワークＩ／Ｆ２４及びＡＤＳＬモデム３４を介してサーバと通信する。このサーバと統合ＩＣカード１７が通信する内容は、例えば下記の通りである。
【００６４】
ａ）  サーバからのライセンス取得処理（ＥＭＭの取得処理）。デジタルテレビジョン放送受信装置１１が、そのサーバからコンテンツの提供を受ける権利があることをサーバに認識させるための処理であり、従来の放送におけるＥＭＭの取得処理に相当する。
【００６５】
すなわち、従来の放送では、視聴契約に応じて定期的にＥＭＭが取得できるように、放送提供側から放送信号でＥＭＭを伝送し、デジタルテレビジョン放送受信装置１１に受信させていたものを、サーバ型放送にサービスにおいては、デジタルテレビジョン放送受信装置１１からサーバにアクセスしてＥＭＭを取得する。
【００６６】
このライセンス取得処理には、暗号を利用した既存の処理方法を使用するものとし、例えばＰＫＩ（public key infrastructure）等の公開鍵暗号技術と電子署名とを使って、インターネットで安全な通信ができるようにするための方法により行えばよい。この他、共通鍵暗号方式を利用した認証処理方法を用いても良い。なお、共通鍵暗号方式を利用した認証処理方法を使用する場合には、そのサーバとのライセンス取得処理に先立って、統合ＩＣカード１７とサーバとが事前に共通鍵を秘密裏に共有しておく必要がある。
【００６７】
このライセンス取得処理において、以後のコンテンツの提供を受ける際に使用するＥＣＭを復号するためのワーク鍵Ｋｗを、サーバとデジタルテレビジョン放送受信装置１１との間で共有する。このワーク鍵Ｋｗは、従来の放送におけるＥＣＭの復号鍵と同様のサーバ型放送におけるＥＣＭの復号鍵である。
【００６８】
ｂ）  スクランブル鍵の取得処理（ＥＣＭの取得処理）。サーバからのライセンス取得処理の結果、デジタルテレビジョン放送受信装置１１がコンテンツの提供を受ける権利があるとサーバに認識され、デジタルテレビジョン放送受信装置１１がＥＭＭを取得した後、コンテンツをデスクランブル処理するためのスクランブル鍵を取得する処理である。
【００６９】
このスクランブル鍵は、従来の放送におけるＥＣＭと同様に、ＥＣＭ内の情報の一部として提供され、デジタルテレビジョン放送受信装置１１では、前記ライセンス取得処理で取得したワーク鍵を使用してＥＣＭを復号化しスクランブル鍵を取得する。この暗号処理には、例えば共通鍵暗号方式を使用する。
【００７０】
図４は、統合ＩＣカード１７内のＳ−ＣＡＳカード機能部３２の詳細を示している。すなわち、入力されたＥＣＭは、ＥＣＭ復号部３２ａに供給されて暗号の復号化処理が施される。この復号化処理に使用される鍵は、後述するＥＭＭの情報の一部として伝送されたワーク鍵Ｋｗである。
【００７１】
そして、復号後のＥＣＭから、コンテンツ（映像、音声データ等）の暗号化に使用されるスクランブル鍵を取得する。なお、コンテンツの特定やそのコンテンツに対する視聴条件の判定は、従来のデジタル放送の受信処理とは異なり、後述するＥＭＭの取得処理において行なわれている。
【００７２】
また、サーバからのライセンス取得処理（ＥＭＭの取得処理）において入力されたＥＭＭは、ＥＭＭ復号部３２ｂに供給されて、ＥＣＭと同様に、暗号の復号化処理が施される。この復号化処理に使用される鍵は、例えばＰＫＩ方式に使用される鍵であって、公開鍵とペアになっている秘密鍵Ｋｐｓであり、製品出荷前に秘密鍵Ｋｐｓ記憶メモリ３２ｃに記憶されている。
【００７３】
この秘密鍵Ｋｐｓは、個々の統合ＩＣカード１７毎に異なる鍵である。サーバから提供されるＥＭＭは、秘密鍵Ｋｐｓとペアになっている公開鍵Ｋｐｐで暗号化されており、統合ＩＣカード１７では秘密鍵Ｋｐｓで復号化し、復号化後のＥＭＭからは、前述のワーク鍵Ｋｗが取得され、ＥＣＭ復号部３２ａに供給される。以上説明したＥＭＭには、視聴を希望するコンテンツ用のＥＣＭを復号するためのワーク鍵Ｋｗが含まれる。
【００７４】
なお、ＥＭＭの取得に際しては、事前にユーザが視聴を希望するコンテンツの指定を行ない、視聴を希望するコンテンツ用のＥＣＭを復号化するためのワーク鍵Ｋｗが含まれるＥＭＭを取得しておくものとする。
【００７５】
このコンテンツの指定に関しては、例えば月決め契約等のように一定期間、または、所定のコンテンツ群だけを視聴できるいわゆるティア視聴形態と、コンテンツ単位すなわち従来のＰＰＶと同じようにコンテンツを指定して課金されるＰＰＶ視聴形態とがある。このティア視聴形態のうち所定のコンテンツ群とは、例えば一連のドラマシリーズとか、スポーツの特定のチームの１シーズンをまとめて視聴するような形態のことである。
【００７６】
このため、ユーザがコンテンツを視聴する際、ＰＰＶ視聴形態であれば視聴の都度ＥＭＭを取得する必要があるが、ティア視聴形態の場合においては視聴の都度ＥＭＭを取得してもしなくても良い。
【００７７】
すなわち、ティア視聴形態の場合において、統合ＩＣカード１７内の不揮発性メモリにワーク鍵Ｋｗを記憶しない場合には、視聴の都度サーバにアクセスし、視聴する権利、つまり、ティア視聴契約がなされているかどうかをサーバが管理、判断し、契約されている場合にはワーク鍵Ｋｗを含むＥＭＭを提供するものとする。また、ティア視聴形態の場合において、統合ＩＣカード１７内の不揮発性メモリにワーク鍵Ｋｗを含むＥＭＭを記憶する場合には、視聴の都度ＥＭＭの取得処理は行なわず、スクランブル鍵の取得処理（ＥＣＭの取得処理）とコンテンツの取得処理のみとを行なうものとする。
【００７８】
さらに、デジタルテレビジョン放送受信装置１１と統合ＩＣカード１７とのインターフェースは、Ｂ−ＣＡＳカード機能部３１とＳ−ＣＡＳカード機能部３２とが同じインターフェースを共有するものであり、ＡＲＩＢ ＳＴＢ−Ｂ２５第１部に記載の通り、例えば以下のようなものである。
【００７９】
統合ＩＣカード１７の形状、物理仕様：ＩＳＯ７８１６−１：１９８７準拠。
【００８０】
端子の位置と形状：ＩＳＯ７８１６−２：１９８８準拠。
【００８１】
電気信号及びプロトコル：ＩＳＯ７８１６−３：１９９７準拠。
【００８２】
統合ＩＣカード１７は、上記のインターフェースを通じて、デジタルテレビジョン放送受信装置１１がサーバ型放送に対応しているか否かを把握することができる。すなわち、統合ＩＣカード１７がデジタルテレビジョン放送受信装置１１の状況を把握するために、統合ＩＣカード１７が差し込まれた際、または、デジタルテレビジョン放送受信装置１１の電源が投入された際に、統合ＩＣカード１７とデジタルテレビジョン放送受信装置１１とが通信を行なって、統合ＩＣカード１７がデジタルテレビジョン放送受信装置１１の状況を把握するものとする。例えば、以下に示すいずれかの方法で把握するものとする。
【００８３】
１）  ＡＲＩＢ ＳＴＤ−Ｂ２５第１部の４．３．３章コマンド／レスポンスの４．３．３．５パラメータ表に記載されない新たなＩＣカード指示により、統合ＩＣカード１７がデジタルテレビジョン放送受信装置１１に指示を行なったが、デジタルテレビジョン放送受信装置１１が指示に反応しなかった場合、そのデジタルテレビジョン放送受信装置１１はＡＲＩＢ ＳＴＤ−Ｂ２５第１部のみに準拠した従来の受信装置と判定する。逆に、指示に反応した場合には、サーバ型放送に対応した受信装置と判定する。
【００８４】
２）  ＡＲＩＢ ＳＴＤ−Ｂ２５第１部の４．３．３章コマンド／レスポンスに記載されない新たなコマンドを、統合ＩＣカード１７が差し込まれた際、または、デジタルテレビジョン放送受信装置１１の電源が投入された際等の初期通信が必要な条件において発行するものとし、デジタルテレビジョン放送受信装置１１がこの新たなコマンドを発行しなかった場合、デジタルテレビジョン放送受信装置１１はＡＲＩＢ ＳＴＤ−Ｂ２５第１部のみに準拠した従来の受信装置と判定する。逆に、新たなコマンドを発行した場合には、サーバ型放送に対応した受信装置と判定する。
【００８５】
以上に説明したデジタルテレビジョン放送受信装置１１において、今まで、ユーザが、図５（ａ）に示すように、Ｂ−ＣＡＳカード３５を装着してデジタル放送だけを視聴していた状態から、今後、同図（ｂ）に示すように、統合ＩＣカード１７を装着してデジタル放送とサーバ型放送とを選択的に視聴し得る状態に切り替える状況を考える。
【００８６】
この場合、今まで使用していたＢ−ＣＡＳカード３５が持つ、デジタル放送の限定受信方式における視聴条件等の情報、具体的にはＥＭＭで提供される情報を、新規に作成される統合ＩＣカード１７に移行させる作業が必要になる。
【００８７】
この実施の形態では、図６に示すように、ユーザがＢ−ＣＡＳカード３５から統合ＩＣカード１７への切り替えを放送事業者に申し込むと、放送事業者からユーザに統合ＩＣカード１７が配送される。そして、ユーザが統合ＩＣカード１７をデジタルテレビジョン放送受信装置１１に装着した時点で、自動的に、Ｂ−ＣＡＳカード３５が持つデジタル放送の限定受信方式における視聴条件の判定機能を、統合ＩＣカード１７に移行される処理が行なわれ、この時点を境に、Ｂ−ＣＡＳカード３５が無効となり、統合ＩＣカード１７が有効となるようにしている。
【００８８】
図７は、放送事業者から配送された統合ＩＣカード１７が、デジタルテレビジョン放送受信装置１１に装着されたときの動作の一例をまとめたものである。なお、この動作を実効するために、前記ＡＤＳＬモデム３４が接続されるインターネット上には、移行作業用サーバと、Ｂ−ＣＡＳカード３５の発行や管理を行なうＢ−ＣＡＳライセンスサーバと、統合ＩＣカード１７の発行や管理を行なう統合ＩＣライセンスサーバとが接続されているものとする。
【００８９】
まず、統合ＩＣカード１７は、デジタルテレビジョン放送受信装置１１の装着部１８に装着されると、ステップＳ１で、デジタルテレビジョン放送受信装置１１に対して、移行（取得）作業の発動を要求する。
【００９０】
なお、統合ＩＣカード１７は、移行（取得）作業管理部を有し、移行（取得）作業管理部において移行（取得）作業の発動要求の有無を管理するものとする。なお、放送事業者からユーザに統合ＩＣカード１７が配送される前に、当該移行（取得）作業管理部には移行（取得）作業の発動要求が有と設定されているものとする。
【００９１】
すると、デジタルテレビジョン放送受信装置１１は、ステップＳ２で、移行（取得）作業用サーバに対して、Ｂ−ＣＡＳカード３５のカードＩＤと統合ＩＣカード１７のカードＩＤとを通知する。
【００９２】
これにより、移行作業用サーバは、ステップＳ３で、Ｂ−ＣＡＳライセンスサーバに対して、移行作業の発動情報とＢ−ＣＡＳカード３５のカードＩＤとを通知する。また、移行作業用サーバは、ステップＳ４で、統合ＩＣライセンスサーバに対して、移行作業の発動情報と統合ＩＣカード１７のカードＩＤとを通知する。
【００９３】
すると、Ｂ−ＣＡＳライセンスサーバは、ステップＳ５で、移行作業用サーバに対して、Ｂ−ＣＡＳカード３５の契約（つまり、Ｂ−ＣＡＳカード３５が持っているデジタル放送の限定受信方式における視聴条件等の情報）を無効にする（視聴不可にする）内容のＥＭＭを出力する。
【００９４】
また、統合ＩＣライセンスサーバは、ステップＳ６で、移行作業用サーバに対して、契約（Ｂ−ＣＡＳカード３５が持っているデジタル放送の視聴条件等の情報と同じ、デジタル放送の限定受信方式におけるワーク鍵Ｋｗや視聴条件等の情報）を有効にする（視聴可にする）内容のＥＭＭを出力する。
【００９５】
その後、デジタルテレビジョン放送受信装置１１が、ステップＳ７で、移行作業用サーバに対して、統合ＩＣカード１７の契約を有効にする内容のＥＭＭを要求すると、移行作業用サーバは、ステップＳ８で、デジタルテレビジョン放送受信装置１１に対して、契約を有効にする内容のＥＭＭを出力し、デジタルテレビジョン放送受信装置１１は、ステップＳ９で、統合ＩＣカード１７に対して、契約を有効にする内容のＥＭＭを出力する。
【００９６】
これにより、統合ＩＣカード１７では、そのＢ−ＣＡＳカード機能部３１が、Ｂ−ＣＡＳカード３５が持っているデジタル放送の視聴条件等の情報と同じ、デジタル放送の限定受信方式における視聴条件等の情報を持つように制御される。また、Ｓ−ＣＡＳカード機能部３２については、放送事業者からユーザに統合ＩＣカード１７が配送される前に、既にサーバ型放送の限定受信方式における視聴条件の判定機能が有効となるように、ＰＫＩによるサーバ型放送のためのライセンスサーバとの認証処理に必要な鍵情報等が設定されている。
【００９７】
その後、移行作業用サーバは、ステップＳ１０で、デジタルテレビジョン放送受信装置１１に対して、契約を無効にする内容のＥＭＭを電波によって配信する時刻を通知する。すると、デジタルテレビジョン放送受信装置１１は、ステップＳ１１で、通知された時間に達したとき、自動的にＢ−ＣＡＳカード３５用のＥＭＭを受信して一時蓄積する。
【００９８】
この一時蓄積移行の処理として、デジタルテレビジョン放送受信装置１１は、ステップＳ１２で、統合ＩＣカード１７を取り出して、Ｂ−ＣＡＳカード３５を装着部１８に装着する要求を、映像表示器１４もしくはその他の表示手段によりデジタルテレビジョン放送受信装置１１に表示させる。
【００９９】
そして、Ｂ−ＣＡＳカード３５に差し替えられたことが検出されると、デジタルテレビジョン放送受信装置１１は、ステップＳ１３で、Ｂ−ＣＡＳカード３５に対して、契約を無効にする内容のＥＭＭを出力する。これにより、Ｂ−ＣＡＳカード３５は、その機能が無効とされる。なお、Ｂ−ＣＡＳカード３５とは異なるＩＤのＢ−ＣＡＳカードが差し込まれた場合には、Ｂ−ＣＡＳカード３５向けの前記ＥＭＭ（視聴を不可とするＥＭＭ）を与えることはできないため、当該処理において、デジタルテレビジョン放送受信装置１１はＢ−ＣＡＳカード３５が挿入されたことを確認すればより良く、また前記ＥＭＭを与えることによりＢ−ＣＡＳカード３５が視聴を不可となったか否かを確認すれば、さらに良い。
【０１００】
その後、デジタルテレビジョン放送受信装置１１が、ステップＳ１４で、一時蓄積されたＥＭＭを消去する。
【０１０１】
次に、デジタルテレビジョン放送受信装置１１は、ステップＳ１４１で、統合ＩＣカード１７を装着部１８に装着する要求を、映像表示器１４もしくはその他の表示手段によりデジタルテレビジョン放送受信装置１１に表示させる。
【０１０２】
そして、統合ＩＣカード１７に差し替えられたことが検出されると、デジタルテレビジョン放送受信装置１１は、ステップＳ１４２で、統合ＩＣカード１７に対して移行作業の完了報告を出力する。これにより、統合ＩＣカード１７は、移行作業の完了を検知するとともに、移行作業管理部での移行作業の発動要求を解除し、Ｂ−ＣＡＳカード３５から統合ＩＣカード１７への切り替えが終了される。
【０１０３】
上記した実施の形態によれば、統合ＩＣカード１７をデジタルテレビジョン放送受信装置１１に装着した時点で、自動的に、Ｂ−ＣＡＳカード３５が持つデジタル放送の限定受信方式における視聴条件の判定機能を、統合ＩＣカード１７に移行される処理が行なわれるようになるため、ユーザの使い勝手を向上させることができる。
【０１０４】
図８は、放送事業者から配送された統合ＩＣカード１７が、デジタルテレビジョン放送受信装置１１に装着されたときの動作の他の例をまとめたものである。なお、図８において、ステップＳ１５〜Ｓ２３は、図７に示したステップＳ１〜Ｓ９と同様であるため、その説明は省略する。
【０１０５】
すなわち、ステップＳ２３で統合ＩＣカード１７に契約を有効にする内容のＥＭＭが出力され、統合ＩＣカード１７のＢ−ＣＡＳカード機能部３１の機能が有効となるよう（視聴可となるよう）に制御されると、デジタルテレビジョン放送受信装置１１は、ステップＳ２４で、統合ＩＣカード１７を取り出して、Ｂ−ＣＡＳカード３５を装着部１８に装着する要求を、映像表示器１４に表示させる。
【０１０６】
そして、Ｂ−ＣＡＳカード３５に差し替えられたことが検出されると、デジタルテレビジョン放送受信装置１１は、ステップＳ２５で、移行作業用サーバに対して、契約を無効にする内容のＥＭＭを要求する。
【０１０７】
すると、移行作業用サーバは、ステップＳ２６で、デジタルテレビジョン放送受信装置１１に対して、契約を無効にする内容のＥＭＭを出力し、デジタルテレビジョン放送受信装置１１は、ステップＳ２７で、Ｂ−ＣＡＳカード３５に対して、契約を無効にする内容のＥＭＭを出力する。これにより、Ｂ−ＣＡＳカード３５は、その機能が無効とされる。なお、Ｂ−ＣＡＳカード３５とは異なるＩＤのＢ−ＣＡＳカードが差し込まれた場合には、Ｂ−ＣＡＳカード３５向けの前記ＥＭＭ（視聴を不可とするＥＭＭ）を与えることはできないため、当該処理において、デジタルテレビジョン放送受信装置１１はＢ−ＣＡＳカード３５が挿入されたことを確認すればより良い。また前記ＥＭＭを与えることによりＢ−ＣＡＳカード３５が視聴を不可となったか否かを確認すれば、さらに良い。
【０１０８】
次に、デジタルテレビジョン放送受信装置１１は、ステップＳ２７で、統合ＩＣカード１７を装着部１８に装着する要求を、映像表示器１４もしくはその他の表示手段によりデジタルテレビジョン放送受信装置１１に表示させる。
【０１０９】
そして、統合ＩＣカード１７に差し替えられたことが検出されると、デジタルテレビジョン放送受信装置１１は、ステップＳ２８で、統合ＩＣカード１７に対して移行作業の完了報告を出力する。これにより、統合ＩＣカード１７は、移行作業の完了を検知するとともに、移行作業管理部での移行作業の発動要求を解除し、Ｂ−ＣＡＳカード３５から統合ＩＣカード１７への切り替えが終了される。
【０１１０】
図８に示した動作例によれば、図７に示した動作例と同様な効果が得られるとともに、デジタルテレビジョン放送受信装置１１が契約を無効にする内容のＥＭＭを受信して一時蓄積する手間が除かれ、より迅速な移行処理を行なうことが可能となる。
【０１１１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１１２】
【図１】この発明の実施の形態を示すもので、デジタルテレビジョン放送受信装置の外観を説明するために示す斜視図。
【図２】同実施の形態におけるデジタルテレビジョン放送受信装置の信号処理系を説明するために示すブロック構成図。
【図３】同実施の形態におけるデジタルテレビジョン放送受信装置のＢ−ＣＡＳカード機能部の詳細を説明するために示すブロック構成図。
【図４】同実施の形態におけるデジタルテレビジョン放送受信装置のＳ−ＣＡＳカード機能部の詳細を説明するために示すブロック構成図。
【図５】同実施の形態におけるデジタルテレビジョン放送受信装置のＢ−ＣＡＳカードから統合ＩＣカードへの切り替えを説明するために示す図。
【図６】同実施の形態におけるデジタルテレビジョン放送受信装置のＢ−ＣＡＳカードから統合ＩＣカードへの切り替え手順を説明するために示す図。
【図７】同実施の形態におけるデジタルテレビジョン放送受信装置のＢ−ＣＡＳカードの機能を統合ＩＣカードに移行させる動作の一例を説明するために示す図。
【図８】同実施の形態におけるデジタルテレビジョン放送受信装置のＢ−ＣＡＳカードの機能を統合ＩＣカードに移行させる動作の他の例を説明するために示す図。
【符号の説明】
【０１１３】
１１…デジタルテレビジョン放送受信装置、１２…キャビネット、１３…支持台、１４…映像表示器、１５…リモートコントローラ、１６…受光部、１７…統合ＩＣカード、１８…装着部、１９…アンテナ、２０…選局部、２１…システムコントローラ、２２…切り替え部、２３…分離部、２４…ネットワークＩ／Ｆ、２５…デスクランブラ、２６…切り替え部、２７…ＭＰＥＧデコーダ、２８…スピーカ、２９…フィルタリング部、３０…ＩＤ記憶部、３１…Ｂ−ＣＡＳカード機能部、３２…Ｓ−ＣＡＳカード機能部、３３…電話モデム、３４…ＡＤＳＬモデム、３５…Ｂ−ＣＡＳカード。
【図１】
2007028429.tif 000003
【図２】
2007028429.tif 000004
【図３】
2007028429.tif 000005
【図４】
2007028429.tif 000006
【図５】
2007028429.tif 000007
【図６】
2007028429.tif 000008
【図７】
2007028429.tif 000009
【図８】
2007028429.tif 000010